(57)【要約】      （修正有）【課題】高度計量基盤ネットワークのためのヘッドエンドシステムを提供する。【解決手段】高度計量基盤（ＡＭＩ）ネットワーク３２のためのヘッドエンドシステム３４は、プロセッサ４０を含む。プロセッサ４０は、ＡＭＩメータ３０から事象信号を受信するように構成される。その事象信号は、顧客の場所で発生する事象を示す。プロセッサ４０は、対応するＡＭＩメータからの事象信号の受信に応答して、対応するＡＭＩメータにコマンド信号を送信するかどうかを決定する。そのコマンド信号は、少なくとも１つの事象に応答して少なくとも１つのタスクを実行するように対応するＡＭＩメータ３０に命令するように構成される。プロセッサ４０は、コマンド信号を送信するという決定に応答して、対応するＡＭＩメータにそのコマンド信号を送信する。【選択図】図２
2012244631.tif 000002
【特許請求の範囲】
【請求項１】
複数の顧客の場所（１６、１８、２０）にある複数のＡＭＩメータ（３０）を含む高度計量基盤（ＡＭＩ）ネットワーク（３２）と共に使用するためのヘッドエンドシステム（３４）であって、
対応する顧客の場所で発生する少なくとも１つの事象を示す少なくとも１つの事象信号を、前記ＡＭＩメータの各々から当該ヘッドエンドシステムで受信する（５０）ステップと、
対応するＡＭＩメータからの前記少なくとも１つの事象信号の受信に応答して、前記少なくとも１つの事象に応答して少なくとも１つのタスクを実行するように前記対応するＡＭＩメータに命令するように構成された少なくとも１つのコマンド信号を前記対応するＡＭＩメータに送信するかどうかを、当該ヘッドエンドシステムで、決定する（５２）ステップと、
前記少なくとも１つのコマンド信号を送信するという決定に応答して、前記対応するＡＭＩメータに前記少なくとも１つのコマンド信号を、当該ヘッドエンドシステムで、送信する（５４）ステップと
を行うように構成されたプロセッサ（４０）を備える、ヘッドエンドシステム。
【請求項２】
前記プロセッサ（４０）によってアクセス可能なメモリ素子（６４）をさらに備え、前記メモリ素子が前記少なくとも１つの事象を前記少なくとも１つのコマンド信号と関連付けるデータベースを記憶し、少なくとも１つのコマンド信号を送信するかどうかを決定するために、前記プロセッサが前記データベースに前記少なくとも１つの事象を問い合わせる、請求項１記載のヘッドエンドシステム（３４）。
【請求項３】
前記プロセッサ（４０）がさらに、前記少なくとも１つの事象信号の受信に応答して少なくとも１つの外部管理システムに少なくとも１つの事象通知信号を送信する（５６）ように構成され、前記少なくとも１つの事象通知信号が、前記対応するＡＭＩメータで発生する前記少なくとも１つの事象を示す、請求項１記載のヘッドエンドシステム（３４）。
【請求項４】
高度計量基盤（３２）のヘッドエンドシステム（３４）のプロセッサ（４０）を使用する顧客の場所（１６、１８、２０）で発生する事象に応答する方法であって、
前記顧客の場所で発生する少なくとも１つの事象を示す少なくとも１つの事象信号をＡＭＩメータ（３０）から受信する（５０）ステップと、
前記少なくとも１つの事象に応答して少なくとも１つのタスクを実行するように前記ＡＭＩメータに命令するように構成された少なくとも１つのコマンド信号を、前記ＡＭＩメータからの前記少なくとも１つの事象信号の受信に応答して、前記ＡＭＩメータに送信するかどうかを決定する（５２）ステップと、
前記少なくとも１つのコマンド信号を送信するという決定に応答して、前記ＡＭＩメータに前記少なくとも１つのコマンド信号を送信する（５４）ステップと
を備える、方法。
【請求項５】
前記決定するステップが、前記少なくとも１つの事象をメモリ素子（６４）内に記憶されたデータベースに問い合わせるステップを備える、請求項４記載の方法。
【請求項６】
前記少なくとも１つの事象信号の受信に応答してエネルギ会社の少なくとも１つの管理システム（３６）に少なくとも１つの事象通知信号を送信する（５６）ステップをさらに備え、前記少なくとも１つの事象通知信号が前記顧客の場所で発生する前記少なくとも１つの事象を示す、請求項４記載の方法。
【請求項７】
複数の高度計量基盤（ＡＭＩ）メータ（３０）と、
プロセッサ（４０）を備え、前記複数のＡＭＩメータに通信可能に結合された、ヘッドエンドシステム（３４）と、
前記ヘッドエンドシステムに通信可能に結合され、前記ＡＭＩメータからのデータを管理する、複数の管理システム（３６）と
を備え、前記ヘッドエンドシステムの前記プロセッサが、
前記対応するＡＭＩメータで発生する少なくとも１つの事象を示す少なくとも１つの事象信号を前記ＡＭＩメータの各々から受信する（５０）ステップと、
前記少なくとも１つの事象に応答して少なくとも１つのタスクを実行するように対応するＡＭＩメータに命令するように構成された少なくとも１つのコマンド信号を、前記対応するＡＭＩメータからの前記少なくとも１つの事象信号の受信に応答して、前記対応するＡＭＩメータに送信するかどうかを決定する（５２）ステップと、
前記少なくとも１つのコマンド信号を送信するという決定に応答して、前記対応するＡＭＩメータに前記少なくとも１つのコマンド信号を送信する（５４）ステップと
を行うように構成された、事象通信および応答システム。
【請求項８】
前記ヘッドエンドシステム（３４）がさらに前記プロセッサ（４０）によってアクセス可能なメモリ素子（６４）を備え、前記メモリ素子が前記少なくとも１つの事象を前記少なくとも１つのコマンド信号と関連付けるデータベースを記憶し、少なくとも１つのコマンド信号を送信するかどうかを決定するために、前記プロセッサが前記データベースに前記少なくとも１つの事象を問い合わせる、請求項７記載の事象通信および応答システム。
【請求項９】
前記ヘッドエンドシステム（３４）がさらに前記プロセッサ（４０）によってアクセス可能なメモリ素子（６４）を備え、前記メモリ素子が前記少なくとも１つの事象を前記少なくとも１つのコマンド信号および事象通知信号と関連付けるデータベースを記憶し、少なくとも１つのコマンド信号を送信するかどうかを決定するために、前記プロセッサが前記データベースに前記少なくとも１つの事象を問い合わせる、請求項７記載の事象通信および応答システム。
【請求項１０】
前記プロセッサ（４０）がさらに、前記少なくとも１つのコマンド信号の送信に応答して前記管理システムの少なくとも１つに少なくとも１つのコマンド通知信号を送信する（５６）ように構成され、前記少なくとも１つのコマンド通知信号が、前記対応するＡＭＩメータに送信される前記少なくとも１つのコマンド信号を示す、請求項７記載の事象通信および応答システム。
【発明の詳細な説明】
【技術分野】
【０００１】
本発明は、概して高度計量基盤（ＡＭＩ）ネットワークに関し、特に、ＡＭＩメータにコマンド信号を送信するかどうかを決定するために使用されるプロセッサを含むＡＭＩネットワークのヘッドエンドシステムに関する。
【背景技術】
【０００２】
ピークのエネルギ使用期間中の発電および配電能力を超える電気需要を防ぐために、電力会社は、電気需要に影響を与えるための能動的および／または受動的負荷制御技法を用いることができる。たとえば、電気を消費する負荷の能動制御を実装するために、いくつかの電力事業者は、「スマートグリッド」と称されるものまたは高度計量基盤（ＡＭＩ）電力ネットワークを利用する。ＡＭＩネットワークを使用し、電力事業者は、顧客の構内の個々の負荷で通信し、選択的にピークの使用期間中の電力消費を減らすことができる。そうして、ピークのエネルギ使用時間帯中、電力事業者は、優先度の高い負荷への電力を維持しながら、優先度の低い負荷への電力を減らすことができる。
【０００３】
顧客に供給される電力を制御または調整することに加えて、スマートグリッドは、エラー、警報、および他の事象などの事象をＡＭＩメータから電力会社に通信する能力をもつことができ、そして電力会社はそのような事象に応答してＡＭＩメータにコマンドを通信する能力をもち得る。一例では、複数のＡＭＩメータがヘッドエンドシステム（ＨＥＳ）に接続される。ＨＥＳは、ＡＭＩメータとＨＥＳの間の双方向通信を可能にするユーティリティネットワーク上で動作するシステムアプリケーションである。そしてＨＥＳは、電力会社の外部管理システムに結合されてＨＥＳと電力会社の外部管理システム間の双方向通信を可能にする。したがって、ＨＥＳは、電力会社の適切な外部管理システムにＡＭＩメータからの事象データを中継することによって、および適切なＡＭＩメータに外部管理システムからのコマンドを中継することによって、インターフェースとして機能する。
【０００４】
従来のＨＥＳは単に、部管理システムに事象データを報告し、適切なＡＭＩメータに外部管理システムからのコマンドを中継するのみの中継インターフェースとして機能するので、ＨＥＳは、ＨＥＳが外部管理システムから命令を受信するまで、ＡＭＩメータにコマンド信号を送信しない。事象を検出するＡＭＩメータと事象に応答してコマンドをＡＭＩが受信する間には長い時間差が存在し得る。そのような長い時間差は、高いネットワークトラフィック、または、外部管理システムとＨＥＳの間の迅速な信号送信に関する他の問題に、少なくとも部分的に、起因し得る。
【先行技術文献】
【特許文献】
【０００５】
【特許文献１】米国特許出願公開第２０１１／００７８０９３号明細書
【発明の概要】
【０００６】
一態様で、ヘッドエンドシステムは、複数の顧客の場所にある複数のＡＭＩメータを含む高度計量基盤（ＡＭＩ）ネットワークとの使用のために提供される。ヘッドエンドシステムは一般に、対応する顧客の場所で発生する少なくとも１つの事象を示す少なくとも１つの事象信号をＡＭＩメータの各々から受信するステップと、対応するＡＭＩメータからの少なくとも１つの事象信号の受信に応答して、その少なくとも１つの事象に応答して少なくとも１つのタスクを実行するように対応するＡＭＩメータに命令するように構成された少なくとも１つのコマンド信号を対応するＡＭＩメータに送信するかどうかを決定するステップと、その少なくとも１つのコマンド信号を送信するという決定に応答して対応するＡＭＩメータに少なくとも１つのコマンド信号を送信するステップとを行うように構成されたプロセッサを備える。
【０００７】
もう１つの態様で、高度計量基盤のヘッドエンドシステムのプロセッサを使用する顧客の場所で発生する事象に応答する方法は一般に、顧客の場所で発生する少なくとも１つの事象を示す少なくとも１つの事象信号をＡＭＩメータから受信するステップと、その少なくとも１つの事象に応答して少なくとも１つのタスクを実行するようにＡＭＩメータに命令するように構成された少なくとも１つのコマンド信号をＡＭＩメータからの少なくとも１つの事象信号の受信に応答してＡＭＩメータに送信するかどうかを決定するステップと、その少なくとも１つのコマンド信号を送信するという決定に応答して、ＡＭＩメータにその少なくとも１つのコマンド信号を送信するステップとを備える。
【０００８】
さらに別の態様で、事象通信および応答システムは一般に、複数の高度計量基盤（ＡＭＩ）メータ、複数のＡＭＩメータに通信可能に結合されたヘッドエンドシステム、プロセッサを備えるヘッドエンドシステム、および、ＡＭＩメータのデータを管理する複数の管理システムを備える。複数の管理システムは、ヘッドエンドシステムに通信可能に結合される。ヘッドエンドシステムのプロセッサは、対応するＡＭＩメータで発生する少なくとも１つの事象を示す少なくとも１つの事象信号をＡＭＩメータの各々から受信するステップと、その少なくとも１つの事象に応答して少なくとも１つのタスクを実行するように対応するＡＭＩメータに命令するように構成された少なくとも１つのコマンド信号を対応するＡＭＩメータからの少なくとも１つの事象信号の受信に応答して対応するＡＭＩメータに送信するかどうかを決定するステップと、その少なくとも１つのコマンド信号を送信するという決定に応答して対応するＡＭＩメータにその少なくとも１つのコマンド信号を送信するステップとを行うように構成される。
【図面の簡単な説明】
【０００９】
【図１】例示的なエネルギ供給システムの構成図である。
【図２】図１に示すエネルギ供給システムと使用され得る事象通信および応答ネットワークの構成図である。
【図３】図２に示す事象および通信ネットワークと使用されるヘッドエンドシステムのプロセッサによって実装され得る例示的な方法の流れ図である。
【発明を実施するための形態】
【００１０】
図１は、電力会社１２と、配電網１４と、たとえば、第１の顧客の場所１６、第２の顧客の場所１８、および第３の顧客の場所２０などの複数の顧客の場所とを含む、例示的なエネルギ供給システム１０の構成図である。顧客の場所１６、１８、および２０は、住宅、オフィスビル、産業施設、および／または、ユーティリティ１２から電気を受信する何らかの他の建造物もしくは場所を含み得るが、これらに限定されない。その例示的な実施形態で、電気は、電力会社１２から配電網１４を介して顧客の場所１６、１８、および２０に供給される。その例示的な実施形態で、配電網１４は、少なくとも１つの伝送路２２、変電所２４、および複数の配電線２６を含む。電力会社１２は、配電網１４に電力を供給する発電システム２８を含む。発電システム２８は、たとえば、ガスタービンエンジン、水力タービン、および／または風力タービンによって動かされる発電機を含み得る。別法として、発電システム２８は、ソーラパネル、および／または、本明細書に記載のようにシステム１０が機能できるようにする何らかの他の発電デバイスを使用することができる。例示的なエネルギ生産および供給システム１０は電気システムであるが、他の実施形態で、エネルギ生産および供給システムは、複数のパイプラインおよびスマートガスメータを含む天然ガスシステムなどのガスシステム、あるいは別のタイプのエネルギシステムでもよい。
【００１１】
図２は、エネルギ供給システム１０（図１に示す）と使用され得る例示的な事象通信および応答システム２９の構成図である。図３は、図２に示す事象および通信ネットワークと使用されるヘッドエンドシステムのプロセッサによって実装され得る例示的一方法の流れ図である。図２に示すように、各顧客の場所１６、１８、および２０は、高度計量基盤（ＡＭＩ）メータ３０を含む。エネルギ使用を記録するメータとして機能することに加えて、ＡＭＩメータ３０は、図２に概略的に示す高度計量基盤（ＡＭＩ）ネットワーク３２の部分である。その例示的な実施形態で、ＡＭＩネットワーク３２は、以下にさらに詳しく説明するように、電力会社１２（もしくは何らかの他のエネルギ会社）がＡＭＩメータ３０と通信すること、およびその逆、を可能にする双方向通信システムの一例である。ＡＭＩメータ３０はＡＭＩネットワーク３２の少なくとも１つのヘッドエンドシステム（ＨＥＳ）３４に通信可能に結合され、ＨＥＳ３４は電力会社１２の１つまたは複数の外部管理システム３６に通信可能に結合される。管理システム３６の例は、次を含むがこれらに限定されない：メータデータ管理システム、メータ資産管理システム、配給運用システム、顧客情報システム、請求システム、および供給停止管理システム。ＡＭＩメータ３０は、本明細書に記載されるようなＡＭＩネットワーク３２の動作を可能にする任意の適切な形でＨＥＳ３４に通信可能に結合され得る。ＨＥＳ３４は、本明細書に記載されるようなＡＭＩネットワーク３２の動作を可能にする任意の適切な形で１つまたは複数の管理システム３６に通信可能に結合され得る。ＡＭＩネットワーク３２は、異なる１セットのＡＭＩメータ３０に通信可能に結合された２つ以上のＨＥＳ３４を含み得ることを理解されたい。
【００１２】
各ＡＭＩメータ３０は、１つまたは複数の事象信号をＨＥＳ３４に送信する能力をもつ。事象信号は、対応するＡＭＩメータ３０または一群のＡＭＩメータ３０と関連する、顧客の場所１６、１８、および２０、または一群の顧客の場所１６、１８、および２０で発生する事象を示す。非限定的例で、事象信号は、次のうちの１つまたは複数を示し得る：メータカバーの不正開封、電力切断スイッチの起動、回路遮断器が切れたこと、および／またはたるみの検出。ＡＭＩメータ３０は顧客の場所１６、１８、および２０で発生する事象を検出する能力をもち得る、あるいは、ＡＭＩメータ３０はその事象を検出する他のデバイスから信号を受信する能力をもち得る。各ＡＭＩメータ３０は、上記に挙げられた事象のまたは挙げられていない他の事象のうちの１つまたは複数を示す１つまたは複数の事象信号を送信する能力をもち得る。ＡＭＩメータ３０は、任意の適切なやり方で、ＨＥＳ３４に１つまたは複数の事象信号を送信することができる。
【００１３】
ＨＥＳ３４は、ＡＭＩメータ３０から事象信号を受信するプロセッサ４０を含む。本明細書において、「プロセッサ」という用語は、中央処理装置、マイクロプロセッサ、マイクロコントローラ、縮小命令セット回路（ＲＩＳＣ）、特定用途向け集積回路（ＡＳＩＣ）、論理回路、および、本明細書に記載の機能を実行する能力のある何らかの他の回路またはプロセッサを指す。図３にあるように、プロセッサ４０は、受信事象信号に基づいて対応するＡＭＩメータ３０に１つまたは複数のコマンド信号を送り返すかどうかを決定する。コマンド信号は、顧客の場所で発生する事象にしたがって、特定のタスクを実行するように対応するＡＭＩメータ３０に命令する。一実施形態で、ＨＥＳによって受信可能な各事象信号は関連コマンド信号をもち得るが、いくつかの事象信号のみが関連コマンド信号をもつ。コマンド信号の送信に加えて、プロセッサ４０は、選択された１つもしくは複数の外部ユーティリティシステムに１つもしくは複数の事象通知信号を送信するように、および／または、１つもしくは複数の外部ユーティリティシステムに１つもしくは複数のコマンド通知信号を送信するようにプログラムされ得る。各事象通知信号は、それらのＡＭＩメータ３０のうちの１つまたは複数からＨＥＳ３４によって受信される事象信号を示し、そして、各コマンド通知信号は、それらのＡＭＩメータ３０のうちの１つまたは複数にＨＥＳ３４によって送信されるコマンド信号を示す。
【００１４】
概して４８で指示される流れ図は、ＨＥＳ３４のプロセッサ４０によって実行され得る例示的一方法を含む。その例示的方法で、プロセッサ４０は、ＡＭＩメータ３０の１つから事象信号を受信する５０。事象信号を受信５０したとき、プロセッサ４０は、その受信事象信号に関連するコマンド信号が存在するかどうかを判定する５２。受信事象信号が関連コマンド信号をもつ場合、次いでプロセッサ４０は、その受信事象信号に基づいて、選択されたコマンド信号をＡＭＩメータ３０に送信する５４。プロセッサ４０はまた、それぞれ、事象通知信号およびコマンド通知信号を少なくとも１つの選択された管理システム３６に送信する５６および５８。事象通知信号は、ヘッドエンドシステムが事象信号を対応するＡＭＩメータ３０から受信したことを示し、コマンド通知信号は、ヘッドエンドシステムがコマンド信号を対応するＡＭＩメータ３０に送信したことを示す。受信事象信号が関連コマンド信号をもたない場合、次いでプロセッサ４０は、ＡＭＩメータ３０へのコマンド信号６２は送信されるべきではないと決定する６０。プロセッサ４０は、選択された管理システム３６に事象の通知を中継する６２ことができる。
【００１５】
ＨＥＳ３４の一例が、図２に概略的に示される。この実施形態で、ＨＥＳ３４は、プロセッサ４０に通信可能に結合されたメモリ素子６４を含む。メモリ素子６４は、プロセッサ４０の部分を形成することができ、またはプロセッサ４０の外部でもよい。メモリ素子６４は、１つまたは複数の選択された事象をプロセッサ４０のための１つまたは複数の信号命令と関連付けるコンピュータ可読データベースを記憶する。事象信号を受信５０したとき、プロセッサ４０は、その受信事象信号によって指示される事象のデータベースに問い合わせる５２ようにプログラムされる。プロセッサ４０がそのデータベース内に事象を見つけた場合、プロセッサは次いで、たとえば図３に開示されるような事象と関連する信号命令を実行する５４、５６、および５８。適切なデータベースは、ＸＭＬなどの任意の適切なコンピュータ言語で書かれ得るルックアップテーブルでもよい。例示的テーブルがテーブル１として以下に示される。
【００１６】
【表１】
2012244631.tif 000003
前述の例で、第１の列は、ＨＥＳ３４に関連するＡＭＩメータ３０および／またはＡＭＩメータ３０群を識別する。したがって、事象信号を受信５０したとき、プロセッサ４０は、そこからその事象信号が受信されたＡＭＩメータ３０および／またはＡＭＩメータ３０群のデータベースに問い合わせる５２。次に、プロセッサ４０は、その受信事象信号によって指示される事象が対応するＡＭＩメータ３０および／またはＡＭＩメータ３０群の下でテーブル内のリストに記載されているかどうかを判定するために、そのテーブルに問い合わせる５２。その事象がリストに記載されている場合、プロセッサ４０は次いで、その事象と関連する行に記載された信号命令を実行する５４、５６、５８。たとえば、前述のテーブルで、信号命令は、コマンド信号、事象通知信号、およびコマンド通知信号を含む。具体的には、前述のテーブル内の第２の行に記載されるように、プロセッサ４０が切断スイッチの起動を示すメータ１からの事象信号を受信した場合、次いでプロセッサ４０は、次を行うように命令される：切断スイッチを切るようにＡＭＩメータ３０に命令するＡＭＩメータ３０へのコマンド信号を送信することと、切断スイッチが起動されたことを示す事象信号をＨＥＳ３４が受信したことを示す電力会社１２のメータ資産管理システムへの事象通知信号を送信することと、ＡＭＩメータに切断スイッチを切るように命令するＡＭＩメータ３０へのコマンド信号をＨＥＳ３４が送信したことを示す電力会社１２のメータ資産管理システムへのコマンド通知信号を送信すること。
【００１７】
事象がテーブルに記載されていない場合、しかし、プロセッサは、１つまたは複数の管理システム３６に事象を中継する６２ように構成され得る。たとえば、プロセッサ４０は、プロセッサ４０によって受信された事象信号に基づく中継命令を含む別のデータベースまたはテーブルに問い合わせることができる。
【００１８】
一実施形態で、テーブルは、テンプレートまたはシェルとして電力会社１２に提供可能であり、それによって電力会社は、ＨＥＳ３４によって受信されたどの事象信号がＨＥＳ３４からの自動信号コマンド応答を保証するかを判定することができる。電力会社１２はまた、どこでおよびいつ通知信号がＨＥＳ３４によって送信されるかを決定することもできる。
【００１９】
本明細書に記載の方法、システムおよび装置は、対応するＡＭＩメータからの少なくとも１つの事象信号の受信に応答して対応するＡＭＩメータに少なくとも１つのコマンド信号を送信するかを決定することと、少なくとも１つのコマンド信号を送信するという決定に応答してその少なくとも１つのコマンド信号を対応するＡＭＩメータに送信することとを行う能力をもつＨＥＳの効率的および経済的実装を容易にする。このやり方で、コマンド信号は、外部管理システムが信号を送信するのを待つ必要なしに、ＡＭＩメータでのある種の選択された事象に応答して、より迅速におよび効率的に送信され得る。方法、システム、および装置の例示的な実施形態が、本明細書に詳細に記載および／または図示される。本方法、システム、および装置は、本明細書に記載の特定の実施形態に限定されず、そうではなくて、各システムの構成要素、ならびに各方法のステップは、本明細書に記載の他の構成要素およびステップから独立して、別個に使用され得る。各構成要素、および各方法ステップはまた、他の構成要素および／または方法ステップとの組合せでも使用され得る。
【００２０】
本明細書に記載および図示された本方法、システム、および装置の要素／構成要素などを紹介するとき、「１つの」、「その」、および「前記」という冠詞は、１つまたは複数の要素／１つまたは複数の構成要素などのうちの１つまたは複数が存在することを意味するものである。「備える」、「含む」、および「もつ」という用語は、リストに記載されたその１つまたは複数の要素／構成要素など以外の追加の１つまたは複数の要素／１つまたは複数の構成要素などが存在し得ることを含め、意味するものである。
【００２１】
本明細書は、例を使用して、最良の形態を含めて、本発明を開示し、そして、何らかのデバイスまたはシステムの作成および使用と任意の組み込まれた方法の実行とを含めて、当業者が本発明を実施することを可能にする。本発明の特許性のある範囲は、本特許請求の範囲によって定義され、当業者が想起する他の例を含み得る。そのような他の例は、それらが本特許請求の範囲の逐語的言語とは異ならない構造的要素をもつ場合、あるいは、それらが本特許請求の範囲の逐語的言語とはわずかに異なる同等の構造的要素を含む場合、本特許請求の範囲内にあるものとする。
【符号の説明】
【００２２】
１０  エネルギ供給システム
１２  電力会社
１４  配電網
１６  第１の顧客の場所
１８  第２の顧客の場所
２０  第３の顧客の場所
２２  伝送路
２４  変電所
２６  配電線
２８  発電システム
２９  事象通信および応答システム
３０  ＡＭＩメータ
３２  ＡＭＩネットワーク
３４  ヘッドエンドシステム（ＨＥＳ）
３６  管理システム
４０  ＨＥＳのプロセッサ
４８  流れ図
５０  スマートエネルギメータから事象信号を受信するステップ
５２  その事象と関連するコマンド信号が存在するかどうかを判定するステップ
５４  スマートエネルギメータに関連コマンド信号を送信するステップ
５６  管理システムに事象の通知を送信するステップ
５８  管理システムにコマンド信号の通知を送信するステップ
６０  スマートメータにコマンド信号を送信しないステップ
６２  管理システムに事象の通知を送信するステップ
６４  ＨＥＳのメモリ素子
６６  ダイヤフラム部の半径方向外側部分
６８  ダイヤフラム部の半径方向内側部分
【図１】
2012244631.tif 000004
【図２】
2012244631.tif 000005
【図３】
2012244631.tif 000006
【外国語明細書】
2012244631000001.pdf